(57)【要約】【課題】本発明は、ランダムノイズが映像に流入される場合、ドライブＩＣの発熱を減少させるプラズマディスプレイ装置を提供するためのものである。【解決手段】本発明によるプラズマディスプレイ装置は、複数の放電セルを含み、単位フレームが複数のサブフィールドに分けられて駆動されるプラズマディスプレイパネルを含むプラズマディスプレイ装置において、前記単位フレームにノイズが含まれていると、前記単位フレームを構成するサブフィールドの個数を調整することを特徴とする。【選択図】図１
2007128082.tif 000002
【特許請求の範囲】
【請求項１】
複数の放電セルを含み、単位フレームが複数のサブフィールドに分けられて駆動されるプラズマディスプレイパネルを含むプラズマディスプレイ装置において、
前記単位フレームにノイズが含まれていると、前記単位フレームを構成するサブフィールドの個数を調整することを特徴とするプラズマディスプレイ装置。
【請求項２】
前記単位フレームにノイズが含まれた場合のサブフィールドの個数は、ノイズが含まれていない単位フレームのサブフィールドの個数より少ないことを特徴とする請求項１に記載のプラズマディスプレイ装置。
【請求項３】
前記単位フレームにノイズが含まれた場合のサブフィールドの個数は、ノイズが含まれていない単位フレームのサブフィールドの個数より１個〜６個少ないことを特徴とする請求項２に記載のプラズマディスプレイ装置。
【請求項４】
前記単位フレームにノイズが含まれた場合のサブフィールドの個数は、６個〜８個であることを特徴とする請求項２に記載のプラズマディスプレイ装置。
【請求項５】
前記単位フレームにノイズが含まれていると、ノイズが含まれていない単位フレームの加重値(ウェイト)が最大であるサブフィールドから１個〜６個のサブフィールドを省略することを特徴とする請求項３に記載のプラズマディスプレイ装置。
【請求項６】
前記単位フレームにノイズが含まれた場合の表現可能な階調数は、ノイズが含まれていない場合に表現可能な階調数の半分であることを特徴とする請求項２に記載のプラズマディスプレイ装置。
【請求項７】
複数の放電セルを含み、単位フレームが複数のサブフィールドに分けられて駆動されるプラズマディスプレイパネルを含むプラズマディスプレイ装置において、
前記単位フレームにノイズが含まれていると、前記単位フレームが表現する色温度を調整することを特徴とするプラズマディスプレイ装置。
【請求項８】
前記単位フレームにノイズが含まれた場合の色温度は、ノイズが含まれていない単位フレームの色温度より低いことを特徴とする請求項７に記載のプラズマディスプレイ装置。
【請求項９】
前記単位フレームにノイズが含まれた場合の色座標値は、ノイズが含まれていない単位フレームの色座標値に比べてレッド領域に移動したことを特徴とする請求項７に記載のプラズマディスプレイ装置。
【請求項１０】
前記単位フレームにノイズが含まれた場合の青色蛍光体が形成された放電セルで放電の強さは、ノイズが含まれていない場合の前記放電セルにおける放電の強さより弱いことを特徴とする請求項７に記載のプラズマディスプレイ装置。
【請求項１１】
複数の放電セルを含み、単位フレームが複数のサブフィールドに分けられて駆動されるプラズマディスプレイパネルを含むプラズマディスプレイ装置において、
前記単位フレームにノイズが含まれていると、前記単位フレームを構成するサステインパルスの個数を調整することを特徴とするプラズマディスプレイ装置。
【請求項１２】
前記単位フレームにノイズが含まれた場合のサステインパルス個数は、ノイズが含まれていない単位フレームのサステインパルス個数より少ないことを特徴とする請求項１１に記載の装置。
【請求項１３】
前記単位フレームにノイズが含まれた場合には、３個〜６個のサブフィールドでサステインパルスが省略されたことを特徴とする請求項１２に記載のプラズマディスプレイ装置。
【請求項１４】
前記単位フレームにノイズが含まれた場合には、サステインパルスのＥＲ_ＵＰ時間がノイズが含まれていない単位フレームのサステインパルスのＥＲ_ＵＰ時間と異なることを特徴とする請求項１１に記載のプラズマディスプレイ装置。
【請求項１５】
前記単位フレームにノイズが含まれている場合にサステインパルスの周期は、４．７μｓ〜５．４μｓの間であることを特徴とする請求項１１に記載のプラズマディスプレイ装置。
【請求項１６】
前記サステインパルスは、サステイン電圧まで上昇時にエネルギー回収回路によって上昇してから少し下降した後、再び上昇する形態の波形が少なくとも一つ以上含まれたことを特徴とする請求項１５に記載のプラズマディスプレイ装置。
【発明の詳細な説明】
【技術分野】
【０００１】
本発明は、プラズマディスプレイ装置に係るもので、詳しくは、ノイズによるデータドライブＩＣの発熱を減らすプラズマディスプレイ装置に関する。
【背景技術】
【０００２】
プラズマディスプレイパネル(Plasma Display Panel、以下、ＰＤＰと言う)は、放電空間に設置された各電極に所定の電圧を印加して放電を起こし、ガス放電時に発生するプラズマが蛍光体を励起させることで、文字又はグラフィックを含んだ画像を表示する装置であり、大型化及び軽量化と平面薄型化が容易で、上下左右に広い視野角を提供し、フルカラー及び高輝度を実現することが可能であるという長所がある。
【０００３】
この場合、プラズマディスプレイ装置において、映像信号の再生時に映像信号にノイズが流入されることができる。このようなランダムノイズによってデータ信号の歪曲が発生する。特に、データドライブＩＣにデータ信号が過多に入力されるため、データドライブＩＣに過多な発熱を誘発させて極端の場合にＩＣの破損が生ずる。
【発明の開示】
【発明が解決しようとする課題】
【０００４】
本発明は、従来技術の問題点を解決するために案出されたもので、ランダムノイズが映像に流入される場合、ドライブＩＣの発熱を減少させるプラズマディスプレイ装置を提供することを目的とする。
【課題を解決するための手段】
【０００５】
前記課題を解決するための本発明の第１特徴によるプラズマディスプレイ装置は、複数の放電セルを含み、単位フレームが複数のサブフィールドに分けられて駆動されるプラズマディスプレイパネルを含み、前記単位フレームにノイズが含まれていると、前記単位フレームを構成するサブフィールドの個数を調整することを特徴とする。
【０００６】
ここで、前記単位フレームにノイズが含まれた場合のサブフィールドの個数は、ノイズが含まれていない単位フレームのサブフィールドの個数より少ないことを特徴とする。
【０００７】
また、本発明の第２特徴によるプラズマディスプレイ装置は、複数の放電セルを含み、単位フレームが複数のサブフィールドに分けられて駆動されるプラズマディスプレイパネルを含み、前記単位フレームにノイズが含まれていると、前記単位フレームが表現する色温度を調整することを特徴とする。
【０００８】
ここで、前記単位フレームにノイズが含まれた場合の色温度は、ノイズが含まれていない単位フレームの色温度より低いことを特徴とする。
【０００９】
また、本発明の第３特徴によるプラズマディスプレイ装置は、複数の放電セルを含み、単位フレームが複数のサブフィールドに分けられて駆動されるプラズマディスプレイパネルを含み、前記単位フレームにノイズが含まれていると、前記単位フレームを構成するサステインパルスの個数を調整することを特徴とする。
【００１０】
ここで、前記単位フレームにノイズが含まれた場合のサステインパルス個数は、ノイズが含まれていない単位フレームのサステインパルス個数より少ないことを特徴とする。
【発明の効果】
【００１１】
本発明は、全体的にノイズがあるフレームのサブフィールドの数を減らして階調数を低く表現し、ドライブＩＣに入力される信号の頻度を低めることで、ノイズによるドライブＩＣの発熱現象を減らし得るという効果がある。
【発明を実施するための最良の形態】
【００１２】
以下、本発明の好ましい実施形態について添付された図面を参照して詳しく説明する。
【００１３】
図１は、本発明によるプラズマディスプレイパネルに対する一実施形態を示した斜視図である。
【００１４】
図１に示したように、プラズマディスプレイパネルは、上部基板１０上に形成される維持電極対であるスキャン電極１１及びサステイン電極１２、下部基板２０上に形成されるアドレス電極２２を含む。
【００１５】
前記維持電極対１１、１２は、通常、インジウムスズ酸化物(Indiμｍ-Tin-Oxide;ＩＴＯ)から形成された透明電極１１ａ、１２ａとバス電極１１ｂ、１２ｂを含み、これらバス電極１１ｂ、１２ｂは、銀(Ａｇ)、クロム(Ｃr)などの金属又はクロム/銅/クロム(Ｃr/Ｃu/Ｃr)の積層型やクロム/アルミニウム/クロム(Ｃr/Ａｌ/Ｃｒ)の積層型に形成することができる。前記バス電極１１ｂ、１２ｂは前記透明電極１１ａ、１２ａ上に形成され、抵抗の高い透明電極１１ａ、１２ａによる電圧降下を減らす役目をする。
【００１６】
一方、本発明の一実施形態によれば、前記維持電極対１１、１２は、前記透明電極１１ａ、１２ａとバス電極１１ｂ、１２ｂが積層された構造だけではなく、前記透明電極１１ａ、１２ａなしにバス電極１１ｂ、１２ｂのみにより構成することができる。このような構造は、前記透明電極１１ａ、１２ａを使わないので、パネルの製造単価を低め得るという長所がある。このような構造に使われるバス電極１１ｂ、１２ｂは、前述した材料の以外に感光性材料等の多様な材料も可能であろう。
【００１７】
前記スキャン電極１１及びサステイン電極１２の透明電極１１ａ、１２ａとバス電極１１ｂ、１１ｃの間には、前記上部基板１０の外部で発生する外部光を吸収して反射を減らす光遮断の機能と前記上部基板１０のピュリティ(Purity)及びコントラストを向上させる機能をするブラックマトリックス(Black Matrix、ＢＭ、１５)が配列される。
【００１８】
本発明の一実施形態によるブラックマトリックス１５は、前記上部基板１０に形成されるが、隔壁２１と重畳される位置に形成される第１ブラックマトリックス１５と、前記透明電極１１ａ、１２ａとバス電極１１ｂ、１２ｂの間に形成される第２ブラックマトリックス１１ｃ、１２ｃから構成することができる。ここで、前記第１ブラックマトリックス１５とブラック層又はブラック電極層とも言う第２ブラックマトリックス１１ｃ、１２ｃは、形成過程で同時に形成されて物理的に連結されることができて、物理的に連結されないこともできる。
【００１９】
また、物理的に連結されて形成される場合、前記第１ブラックマトリックス１５と第２ブラックマトリックス１１ｃ、１２ｃは、同一材質から形成されるが、物理的に分離されて形成される場合には、異なる材質から形成することができる。
【００２０】
前記スキャン電極１１とサステイン電極１２が並列に形成された前記上部基板１０には、上部誘電体層１３と保護膜１４が積層される。前記上部誘電体層１３には、放電によって発生した各荷電粒子が蓄積され、前記維持電極対１１、１２を保護する機能を遂行することができる。前記保護膜１４は、ガス放電時に発生した各荷電粒子のスパッタリングから前記上部誘電体層１３を保護し、２次電子の放出効率を高めるようになる。
【００２１】
また、前記アドレス電極２２は、前記スキャン電極１１及びサステイン電極１２と交差される方向に形成される。また、前記アドレス電極２２が形成された下部基板２０上には、下部誘電体層２４と隔壁２１が形成される。
【００２２】
また、前記下部誘電体層２４と隔壁２１の表面には、蛍光体層２３が形成される。前記隔壁２１は、縦隔壁２１ａと横隔壁２１ｂが閉鎖型に形成され、放電セルを物理的に区分し、放電によって生成された紫外線と可視光が隣接した放電セルに漏洩されることを防止する。
【００２３】
図１を参照すれば、本発明によるプラズマディスプレイパネルの前面にはフィルター１００が形成されることが好ましく、該フィルター１００には、外光遮断層、ＡＲ(Anti-Reflection)層、ＮＩＲ(Near Infrared)遮蔽層又はＥＭＩ(Electro Magnetic Interference)遮蔽層などが含まれることができる。
【００２４】
前記フィルター１００と前記パネルの間の間隔が１０μｍ〜３０μｍである時、外部から入射される光を効果的に遮断することができて、前記パネルから発生する光を外部で効果的に放出することができる。また、外部からの圧力などから前記パネルを保護するため、前記フィルター１００と前記パネルの間の間隔を３０μｍ〜１２０μｍにするできる。
【００２５】
前記フィルター１００と前記パネルの間には、これらフィルター１００とパネルに付着させるための粘着層を形成することができる。
【００２６】
本発明の一実施形態には、図１に図示された隔壁２１の構造だけではなく、多様な形象の隔壁２１の構造も可能であろう。例えば、前記縦隔壁２１ａと横隔壁２１ｂの高さが異なる差等型隔壁構造、前記縦隔壁２１ａ又は横隔壁２１ｂのうち少なくとも一つ以上に排気通路として使用可能なチャンネルが形成されたチャンネル型隔壁構造、前記縦隔壁２１ａ又は横隔壁２１ｂのうち一つ以上に穴(Hollow)が形成された穴型隔壁構造などが可能であろう。
【００２７】
ここで、差等型隔壁構造の場合には、前記横隔壁２１ｂの高さが高いことがもっと好ましく、チャンネル型隔壁構造や穴型隔壁構造の場合には、前記横隔壁２１ｂにチャンネルが形成されるか、又は穴が形成されることが好ましいであろう。
【００２８】
一方、本発明の一実施形態においては、Ｒ、Ｇ及びＢ放電セルのそれぞれを同一線上に配列すると図示及び説明しているが、他の形象に配列することも可能であろう。例えば、Ｒ、Ｇ及びＢ放電セルが三角状に配列されるデルタ(Delta)タイプの配列も可能であろう。また、放電セルの形象も四角状だけではなく、五角状、六角状などの多様な多角状も可能であろう。
【００２９】
また、前記蛍光体層２３は、ガス放電時に発生した紫外線によって発光されて赤色(Ｒ)、緑(Ｇ)又は青色(Ｂ)のうち何れか一つの可視光を発生するようになる。ここで、前記上部/下部基板１０、２０と隔壁２１の間に備えられた放電空間には、放電のためのＨｅ+Ｘｅ、Ｎe+Ｘe及びＨe+Ｎe+Ｘeなどの不活性混合ガスが注入される。
【００３０】
図２は、プラズマディスプレイパネルの電極配置に対する一実施形態を図示したもので、プラズマディスプレイパネルを構成する複数の放電セルは図２に示したようにマトリックス状に配置されることが好ましい。複数の放電セルは、それぞれスキャン電極ライン(Ｙ１〜Ｙｍ)、サステイン電極ライン(Ｚ１〜Ｚｍ)及びアドレス電極ライン(Ｘ１〜Ｘｎ)の交差部に備えられる。スキャン電極ライン(Ｙ１〜Ｙｍ)は順次に駆動されるか、又は同時に駆動されることができて、サステイン電極ライン(Ｚ１〜Ｚｍ)は同時に駆動されることができる。アドレス電極ライン(Ｘ１〜Ｘｎ)は奇数番目の各ラインと偶数番目の各ラインに分割されて駆動されるか、又は順次に駆動されることができる。
【００３１】
図２に図示された電極配置は、本発明によるプラズマパネルの電極配置に対する一実施形態に過ぎないので、本発明は、図２に図示されたプラズマディスプレイパネルの電極配置及び駆動方式に限定されない。例えば、前記スキャン電極ライン(Ｙ１〜Ｙｍ)のうち２個のスキャン電極ラインが同時にスキャニングされるデュアルスキャン方式も可能である。また、前記アドレス電極ライン(Ｘ１〜Ｘｎ)は、パネルの中央部分で上、下に分割されて駆動されることもできる。
【００３２】
図３は、ノイズがない場合の単位フレームの構成が図示された図である。すなわち、一つのフレームを複数のサブフィールドに分けて時分割駆動させる方法に対する一実施形態をタイミング図に図示したものである。単位フレームは、時分割階調表示を実現するために所定個数、例えば、８個のサブフィールド(ＳＦ１、．．．、ＳＦ８)に分割することができる。また、各サブフィールド(ＳＦ１、．．．ＳＦ８)は、リセット区間(図示せず)と、アドレス区間(Ａ１、．．．、Ａ８)及びサステイン区間(Ｓ１、．．．、Ｓ８)に分割される。また他の実施形態としては、１２個のサブフィールドから構成することもできるが、以下、８個のサブフィールドから構成する場合の例を挙げて説明する。
【００３３】
ここで、リセット区間は、複数個のサブフィールドのうち少なくとも一つで省略することができる。例えば、リセット区間は、最初のサブフィールドでのみ存在するか、又は最初のサブフィールドと全体サブフィールドのうち中間程度のサブフィールドでのみ存在することもできる。
【００３４】
各アドレス区間(Ａ１、．．．、Ａ８)においては、アドレス電極(Ｘ)にアドレス信号が印加され、各スキャン電極(Ｙ)に相応するスキャン信号が一つのスキャン電極ラインずつ順次に印加される。
【００３５】
各サステイン区間(Ｓ１、．．．、Ｓ８)においては、スキャン電極(Ｙ)とサステイン電極(Ｚ)にサステイン信号が交互に印加され、アドレス区間(Ａ１、．．．、Ａ８)で各壁電荷が形成された各放電セルでサステイン放電を起こす。
【００３６】
プラズマディスプレイパネルの輝度は、単位フレームで占めるサステイン放電区間(Ｓ１、．．．、Ｓ８)内のサステイン放電パルス個数に比例する。１画像を形成する一つのフレームが、８個のサブフィールドと２５６階調に表現される場合に、各サブフィールドには、順次に１、２、４、８、１６、３２、６４、１２８の割合で互い異なるサステイン信号の数が割り当てられることができる。もし、１３３階調の輝度を得るためには、サブフィールド１区間、サブフィールド３区間及びサブフィールド８区間の間各セルをアドレッシングしてサステイン放電すれば良い。
【００３７】
各サブフィールドに割り当てられるサステイン放電数は、ＡＰＣ(Automatic Power Control)段階による各サブフィールドの加重値によって可変的に決まることができる。すなわち、図３においては、一つのフレームを８個のサブフィールドに分割する場合の例を挙げて説明したが、本発明は、それに限定されることなく、一つのフレームを形成するサブフィールドの数を設計によって多様に変形することが可能である。例えば、一つのフレームを１２又は１６サブフィールドなどのように、８サブフィールド以上に分割してプラズマディスプレイパネルを駆動させることができる。
【００３８】
また、各サブフィールドに割り当てられるサステイン放電数は、ガンマ特性やパネル特性を考慮して多様に変形することが可能である。例えば、サブフィールド４に割り当てされた階調度を８から６に低めて、サブフィールド６に割り当てされた階調度を３２から３４に高めることができる。
【００３９】
図４は、単位フレームにノイズがない場合、前記分割された一つのサブフィールドに対し、プラズマディスプレイパネルを駆動させるための各駆動信号に対する一実施形態をタイミング図に図示したものである。
【００４０】
前記サブフィールドは、各スキャン電極(Ｙ)上に正極性壁電荷を形成して各サステイン電極(Ｚ)上に負極性壁電荷を形成するためのプリリセット(pre reset)区間、プリリセット区間によって形成された壁電荷の分布を利用して全画面の各放電セルを初期化するためのリセット(reset)区間、放電セルを選択するためのアドレス区間及び選択された各放電セルの放電を維持させるためのサステイン区間を含む。
【００４１】
リセット区間は、セットアップ区間及びセットダウン区間から成り、前記セットアップ区間においては、すべてのスキャン電極に上昇ランプ波形(Ramp-up)が同時印加されてすべての放電セルで微細放電が発生することで、壁電荷が生成される。前記セッダウン区間には、前記上昇ランプ波形(Ramp-up)のピーク電圧より低い正極性電圧からから下降する下降ランプ波形(Ramp-down)がすべてのスキャン電極(Ｙ)に同時に印加されてすべての放電セルから消去放電が発生することで、セットアップ放電によって生成された壁電荷及び空間電荷のうち不要電荷を消去させる。
【００４２】
アドレス区間には、スキャン電極に負極性のスキャン電圧(Ｖｓｃ)を有するスキャン信号４１０が順次に印加され、前記スキャン信号と重畳されるようにアドレス電極(Ｘ)に正極性のアドレス電圧(Ｖａ)を有するアドレス信号４００が印加される。このようなスキャン信号４１０とアドレス信号４００との電圧差とリセット区間の間に生成された壁電圧によってアドレス放電が発生してセルが選択される。一方、前記セッダウン区間とアドレス区間の間に前記サステイン電極には、サステイン電圧を維持する信号が印加される。
【００４３】
前記サステイン区間には、スキャン電極とサステイン電極に交番的にサステイン信号が印加されてスキャン電極とサステイン電極の間に面放電形態でサステイン放電が発生する。
【００４４】
図５Ａ及び図５Ｂは、本発明によるプラズマディスプレイ装置の第１実施形態によるサブフィールド構成表が図示された図である。
【００４５】
本発明によるプラズマディスプレイ装置は、複数の放電セルを含み、単位フレームが複数のサブフィールドに分けられて駆動されるプラズマディスプレイパネルを含み、前記単位フレームにノイズが含まれているかを検査してノイズが含まれた場合に出力される映像データの出力ゲイン値を調整する。
【００４６】
一般に、ノイズがない場合の出力ゲイン値は１であるが、単位フレームにノイズがある場合には、前記出力ゲイン値を１未満の値に調整する。ノイズの発生可否は、以前のフレームと比べて対応するセルの階調差を利用する方法で検査することができるが、これに限らない。
【００４７】
前記出力ゲイン値が１未満である場合には、サブフィールドの数を減らすか、又は色温度と色座標を調整するか、又はサステインパルスの数を調整する。
【００４８】
図５Ａを参照すれば、本発明の第１実施形態によるプラズマディスプレイ装置は、複数の放電セルを含み、単位フレームが複数のサブフィールドに分けられて駆動されるプラズマディスプレイパネルを含み、前記単位フレームにノイズが含まれていると、前記単位フレームを構成するサブフィールドの個数を調整する。
【００４９】
前記単位フレームにノイズが含まれた場合のサブフィールドの個数は、ノイズが含まれていない単位フレームのサブフィールドの個数より少なくなるように調整する。
【００５０】
すなわち、ゲイン値を調整してノイズが含まれた場合に単位フレームのサブフィールドの数が少なくなるように調整する。
【００５１】
サブフィールドの数を減らせば表現し得る階調数が減る。すなわち、ノイズが発生した場合、表現し得る階調数を減らして画面をもう少し暗く表現してノイズの影響が少なくなるようにする。
【００５２】
図５Ａには、単位フレームが１２個のサブフィールドで駆動されて２５６階調を表現し得るサブフィールドテーブルが図示されている。該当するサブフィールドの下には、各サブフィールドが有する加重値が図示されている。
【００５３】
図５Ａを参照すれば、もし、ノイズがない場合、Table Ａ１のように単位フレームが１２個のサブフィールドで駆動する。
【００５４】
もし、フレームにノイズがある場合には、Table Ａ２又はTable Ａ３のようにサブフィールドの数を減らす。すなわち、単位フレームが８個のサブフィールド又は６個のサブフィールドのみにより駆動されるようにする。
【００５５】
もし、８個のサブフィールドで駆動される場合には、Table Ａ２のようにサブフィールドが構成されて最大１２８階調を表現することができる。この場合、サブフィールド１〜８までの加重値はノイズがない場合と同一で、残りのサブフィールド９以上は省略する。しかし、前記加重値は、ノイズがない場合と異なるように構成することもできる。
【００５６】
もし、６個のサブフィールドで駆動される場合には、Table Ａ３のようにサブフィールドが構成されて最大６４階調を表現することができる。この場合にもサブフィールド１〜６までの加重値はノイズがない場合と同一で、残りのサブフィールド７以上は省略する。この場合にも前記加重値は、ノイズがない場合と異なるように構成することもできる。
【００５７】
図５Ｂには、単位フレームが８個のサブフィールドで駆動されて２５６階調を表現し得るサブフィールドテーブルが図示されている。該当するサブフィールドの下には、各サブフィールドが有する加重値が図示されている。
【００５８】
図５Ｂを参照すれば、もし、ノイズがない場合、Table Ｂ１のように単位フレームが８個のサブフィールドで駆動する。
【００５９】
もし、フレームにノイズがある場合には、Table Ｂ２又はTable Ｂ３のようにサブフィールドの数を減らす。すなわち、単位フレームが７個のサブフィールド又は６個のサブフィールドのみにより駆動されるようにする。
【００６０】
この場合、７個のサブフィールドで駆動される場合には、Table Ｂ２のようにサブフィールドが構成されて最大１２８階調を表現することができる。この場合、サブフィールド１〜７までの加重値はノイズがない場合と同一で、残りのサブフィールド８は省略するように構成することができる。
【００６１】
もし、６個のサブフィールドで駆動される場合には、Table Ｂ３のようにサブフィールドが構成されて最大６４階調を表現することができる。この場合にもサブフィールド１〜６までの加重値はノイズがない場合と同一で、残りのサブフィールド７以上は省略するように構成されることができる。
【００６２】
図６は、本発明によるプラズマディスプレイ装置の第２実施形態による色温度と色座標が図示された図である。
【００６３】
図６Ａ及び６Ｂを参照すれば、本発明の第２実施形態によるプラズマディスプレイ装置は、複数の放電セルを含み、単位フレームが複数のサブフィールドに分けられて駆動されるプラズマディスプレイパネルを含み、前記単位フレームにノイズが含まれていると、前記単位フレームが表現する色温度を調整する。
【００６４】
ここで、前記単位フレームにノイズが含まれた場合の色温度は、ノイズが含まれていない単位フレームの色温度より低い。
【００６５】
図６Ａは色座標であり、図６Ｂは色温度を図示したグラフである。図６Ａ及び図６Ｂを参照すれば、色温度は色座標で「Planckian curve」と知られた線に沿って移動するが、温度が高いほど青色スペクトラムが強まって赤色スペクトラムが弱くなる。すなわち、色温度が高いほど冷たい光色を有するようになり、色温度が低いほど暖かい光色を有するようになる。
【００６６】
すなわち、本発明の第２実施形態においては、ノイズが含まれた場合の色座標値はノイズが含まれていない単位フレームの色座標値に比べてレッド領域に移動するようにする。
【００６７】
単位フレームにノイズがある場合、出力画面の色温度が低くなるようにする一実施形態は、青色蛍光体でノイズがない場合より放電が弱く発生するようにするか、又は赤色蛍光体で放電がもっと強く発生するようにする。しかし、このような方法に限定されることなく、色温度が低くなるようにすることができる。
【００６８】
図７Ａ及び７Ｂは、本発明によるプラズマディスプレイ装置の第３実施形態によるサステインパルスの形態の例が図示された図である。
【００６９】
本発明の第３特徴によるプラズマディスプレイ装置は、複数の放電セルを含み、単位フレームが複数のサブフィールドに分けられて駆動されるプラズマディスプレイパネルを含み、前記単位フレームにノイズが含まれていると、前記単位フレームを構成するサステインパルスの個数を調整する。
【００７０】
ここで、前記単位フレームにノイズが含まれた場合のサステインパルス個数は、ノイズが含まれていない単位フレームのサステインパルス個数より少なくなるようにする。
【００７１】
この場合、単位フレームに印加される全体サステインパルスの数をノイズがない場合よりもっと少なく設定し、全体サブフィールドの加重値に比例して割り当てることができる。サステインパルスの数が少なくなることで、ノイズがない場合より輝度が低下するであろう。すなわち、ノイズが発生した単位フレームの輝度を低下させてノイズの影響を極小化させることができる。
【００７２】
他の方法としては、前記第１実施形態のように減ったサステインパルスの数だけサブフィールドの数を少なく割り当てる。その例として前記単位フレームにノイズが含まれた場合には、３個〜６個のサブフィールドでサステインパルスが省略されるように構成することができる。また、前記単位フレームにノイズが含まれた場合には、サステインパルスの上昇時間(ＥＲ_ＵＰ時間)がノイズが含まれていない単位フレームのサステインパルスの上昇時間(ＥＲ_ＵＰ時間)と異なるように構成することができる。
【００７３】
図７Ａと図７Ｂは、本発明の第３実施形態によるサステインパルス波形の一例である。
【００７４】
前記単位フレームにノイズが含まれている場合にサステインパルスの周期(Ｔ)は、４．７μｓ〜５．４μｓの間になるように構成することができる。また、サステインパルスの上昇時間(ｔ１又はｔ２)は、おおよそ５４０nsから７００nsになるように構成することができる。
【００７５】
前記サステインパルスの波形は、図７Ａの第１の波形のように２段の勾配で上昇することもできる。
【００７６】
また、サステインパルスの波形は、エネルギー回収回路の出力を利用しても７Ｂの第２の波形のように特定電圧まで上昇した後、サステイン電圧まで上昇するように構成するか、又は図７Ａの第２の波形のように特定電圧まで上昇した後、再び少し下降した後、サステイン電圧まで上昇するように構成することができる。
【００７７】
前記サステイン波形は、前述した多様な波形を混合して使うこともできる。
【００７８】
図８は、本発明によるプラズマディスプレイ装置の構成の一実施形態が図示されたブロック図である。
【００７９】
本発明によるプラズマディスプレイ装置は、第１フレームにランダムノイズがあるかを検査するフレーム比較部１００と、前記検査の結果によって前記第１フレームのゲイン値を調整するゲイン制御部２００を含んで構成されることを特徴とする。
【００８０】
前記第１フレームは、プラズマディスプレイ装置が出力する映像のうち任意の一つのフレームになることができる。また、前記第１フレームは、本発明においては、現在ディスプレイしようとする映像データを有しているフレームを言う。
【００８１】
前記フレーム比較部１００は、時間的に連続する二つのフレームを比較してランダムノイズがあるかを検査する。従って、前記第１フレームと連続する第２フレームとを比較してランダムノイズを検査するが、前記第２フレームは、前記第１フレームの以前のフレームや前記第１フレームの次のフレームになる。
【００８２】
この場合、前記プラズマディスプレイ装置は、前記第２フレームのデータが保存されるフレームメモリをさらに含んで構成されることができる。
【００８３】
もし、前記第２フレームが前記第１フレームの以前のフレームである場合には、前記第２フレームをディスプレイした後に前記フレームメモリに前記第２フレームのデータを保存させた後、前記第１フレームと比較する。
【００８４】
もし、前記第２フレームが前記第１フレームの次のフレームである場合には、前記第２フレームのデータを予め前記フレームメモリに保存した後、前記第１フレームと比較する。
【００８５】
ランダムノイズが映像データ挿入されて影響を及ぼす場合には、ランダムノイズのあるフレームの映像データは、一般的なノイズのない映像データと格段に階調差が出る。
【００８６】
すなわち、前記ランダムノイズがあるフレームとランダムノイズがない前記フレームの前後フレームと比べた場合、階調差の出るセルの数に格段に差がある。このような差異は、単純に動映像で画像が移動することで、対応する位置のセルの階調が変わることよりもっと大きい階調差に変わる。
【００８７】
従って、前記フレーム比較部１００は、前記第１フレームのセルと前記第２フレームのセルとの階調差を比べてランダムノイズがあるかを検査する。ここで、前記第１フレームのセルと前記第２フレームのセルは、対応する位置のセルとして、もし、動映像の場合なら前記以前のフレームと現在フレームで画像が移動した方向と移動距離などを考慮して階調差を判別することもできる。
【００８８】
しかし、このような動映像の場合にも一般的にフレームとフレーム間の画像の階調差の変化は、ノイズが生じたフレームに比べて大きくないから、画像の移動を考慮することなく対応する位置のセルのみを比較してもランダムノイズがあるか否かを判別可能である。
【００８９】
前記フレーム比較部１００は、セルカウンタ部１１０とノイズ判別部１２０を含んで構成される。
【００９０】
ここで、前記セルカウンタ部１１０は、所定の第１基準値以上のセルの数を測定する。
【００９１】
前記セルカウント部１１０は、前記第１フレームの画像情報と前記第２フレームの画像情報とをセル単位で比較する。前記第１フレームのセルと第２フレームの対応する位置のセルの階調値を互いに比べて階調値の差を求める。
【００９２】
前記セルカウント部１１０は、階調差の第１基準値(Gray_threshold)を設定して前記第１基準値以上に階調差の生ずるセルがいくつであるかをカウントする。
【００９３】
もし、ノイズが流入された場合には、ノイズ流入前の画像データと比べてみると、前記階調差は、一般人の視覚で実質的に同一画面であることを認識し得る範囲以上の値を有する場合であろう。
【００９４】
従って、前記第１基準値は、実質的に同一画面であることを認識し得る連続する２個のフレームのセル間の階調差よりもっと高く設定されなければならない。
【００９５】
前記のような条件を満足するために、前記第１基準値は、その一実施形態で全体階調数の７０％から８５％間の値に設定することができる。もし、２５６階調の場合なら前記第１基準値は、前記範囲内である１８０階調〜２１７階調の間の特定階調値に設定することができる。
【００９６】
すなわち、２５６階調の場合、特定セルで連続する２個のフレームを比べて前記第１フレームが有する階調値と前記第２フレームが有する階調値との差が前記１８０階調から２１７階調の間の特定階調値(例えば、１９０)以上である場合には、該当するセルにおける信号の歪曲があると判断する。
【００９７】
ここで、前記第１基準値を前記基準内の何れかの値に設定するのかによって、ノイズ判別の敏感度を調節することができる。
【００９８】
前記第１基準値が全体階調数の７０％より低い場合には、動きの多い動映像の場合にもノイズが発生したと判断し得るという問題点がある。
【００９９】
もし、前記第１基準値が全体階調数の８５％以上の高い値を有する場合には、ノイズが発生したセルにもかかわらず検出し得ないことがあり得る。
【０１００】
ただ、前記のようにセル一つで階調の歪曲があるとしてノイズが流入されたと判断することは、間違いがあり得るので、全体画面を基準に比較判断しなければならない。このために、まず、前記セルカウンタ１１０は、全体画面のセルを検査して前記第１基準値以上の階調差を示すセルの数を合算する。
【０１０１】
すべてのセルに対して比較が終われば、前記ノイズ判別部１２０は前記セルカウンタ部１１０の結果値が所定第２基準値以上である場合、ランダムノイズがあると判別する。
【０１０２】
前記ノイズ判別部１２０は、ノイズが流入された画像であるか否かを判断する基準になるセルの数を第２基準値に設定し、前記セルカウント部１１０で演算したセルの数が前記第２基準値以上である場合にはノイズが流入されたと判断する。
【０１０３】
また、前記第１基準値と第２基準値は、フレームとフレーム間の比較であるため、とても短い時間以内に認識されるため、比較的に停止画像間に比較する場合より動映像の場合にはマージンを高く置かなければならない。
【０１０４】
前記ノイズ判別部１２０は、前記第１基準値以上の階調差の出る各セルが一つのフレームでいくらであるかによってフレーム単位でノイズが流入されたか否かを判断する基準である第２基準値を設定する。該第２基準値も人間の視覚による敏感図及び画面の発光時間を考慮して一つのフレームが有する全体セルの何％に該当するかを基準に決定する。
【０１０５】
前記第２基準値は、その一実施形態で全体セルの４５％から５５％の間に設定することができる。
【０１０６】
同様に前記第２基準値の値を前記範囲内の何れかの値にするかによってノイズ判断の敏感度を調節することができる。
【０１０７】
前記ゲイン制御部２００は、ランダムノイズがない場合、前記ゲイン値を１に設定し、ランダムノイズがある場合、前記ゲイン値を１未満の正の値に設定する。
【０１０８】
前記ゲイン制御部２００は、前記ゲイン値によって前記第１フレームを構成する各セルの階調データを補正する。前記全体階調数は、前記ゲイン値に比例する。
【０１０９】
すなわち、前記ゲイン値を低めると、全体画面の階調は低くなる。すなわち、もし、全体２５６レベルの階調を有する場合に前記ゲイン値を０．５に設定すれば、１２８レベルの階調のみにより表現するようになる。従って、前記ゲイン値を必要によって適切に調整すれば、前記階調数を表現するために必要なサブフィールドの数も少なくなる。
【０１１０】
ノイズ画面の場合、とても短い時間の間に前記のようにゲインを低めることで、全体階調レベルを低めることができる。とても短い時間の間のノイズ画面を暗く表現することで、視覚的に大きく画面の歪曲を感じ得ないように処理する。
【０１１１】
前記プラズマディスプレイ装置は、前記ゲイン値によって前記第１フレームを構成するサブフィールドの数を可変するサブフィールドマッピング部３００をさらに含んで構成される。
【０１１２】
前記サブフィールドマッピング部３００は、前記ゲイン値が少ないほど前記第１フレームを構成するサブフィールドの数も少なくなるようにマッピングする。前記説明したように、全体表現し得る階調数が減るから、その階調を表現するためのサブフィールドの数も減らすことができる。このようにサブフィールドの数を減らして階調を表現するように前記サブフィールドマッピング部３００は、各階調を表現し得るサブフィールドの構成を新しく作る。
【０１１３】
一般に、２５６階調レベルの場合、８個又は１２個のサブフィールドを使って階調を表現するが、前記ゲイン値の調整によって全体階調レベルが２５６にならない場合にはサブフィールドの数を減らして表現することができる。もし、２５６階調レベルを表現するのに１２個のサブフィールドが必要であると、１２８階調レベルを表現する場合には、８〜９個のサブフィールドのみにより表現することができて、サブフィールドの数を減らすことができる。すなわち、ゲイン値によってサブフィールドマッピングテーブルを相異に置いて適用することができる。
【０１１４】
従って、前記サブフィールドマッピング部３００は、前記ゲイン値が１未満である場合、前記ゲイン値が１である場合よりサブフィールドの数を少なくしてマッピングする。
【０１１５】
ノイズ画面の場合、全体階調数を少なく有するようにすることで、サブフィールドの数を減らし得ることで、全体サステイン区間を減らす効果と共にデータパルスの数も減らすことができる。前記のようにデータパルスの数を減少させることで、ドライブＩＣの発熱量を減少させることができる。本発明によるプラズマディスプレイ装置は前記の構成に限られることなく、応用することができる。
【０１１６】
前記のように構成される本発明によるプラズマディスプレイ装置の動作は、図９のようである。図９は、本発明によるプラズマディスプレイ装置の動作方法が図示されたフローチャートである。
【０１１７】
まず、前記フレーム比較部１００に第１フレームと第２フレームのビデオ映像信号が入力されれば、前記セルカウント部１１０で第１フレームと第２フレームのセル間の階調差を比較する(Ｓ１)。
【０１１８】
前記階調差が第１基準値以上である場合には、セルカウントを一つ高める(Ｓ２、Ｓ３ａ)。
【０１１９】
前記セルカウントは、階調差が一定レベル以上出るセルがいくつであるかを示した変数である。
【０１２０】
もし、前記階調差が第１基準値未満である場合には、セルカウントをそのまま置いて次の段階に進行する(Ｓ２、Ｓ３ｂ)。
【０１２１】
次いで、現在フレームに属するすべてのセルに対して前記のような比較段階(Ｓ１からＳ３ａ、Ｓ３ｂまで)が行われたかを判断し、もし、比較しなかったセルが残った場合、再び前記比較段階を繰り返す(Ｓ４)。
【０１２２】
すべてのセルに対して前記比較段階が行われた後には、前記セルカウント値が前記ノイズ判別部１２０に送信される。
【０１２３】
前記ノイズ判別部１２０は、前記セルカウントが第２基準値以上であるかを検査する(Ｓ５)。
【０１２４】
検査の結果、前記セルカウントが第２基準値以上であると判断される場合、すなわち、入力される映像信号にノイズがあると判別される場合には、前記ゲイン制御部２００でゲイン値を１未満の所定の値に設定する(Ｓ６ａ)。
【０１２５】
前記ゲイン値があまりにも低い場合、画面があまりにも暗くなって視覚的に歪曲された画面が見られるため、適正な値に決定しなければならない。本発明の一実施形態で前記ゲイン値を調整してノイズを処理しても視覚的な不便さのない０．５に設定したが、これに限定されない。
【０１２６】
もし、前記検査の結果、セルカウントが第２基準値未満である場合には、ある程度セル間の階調差があるとしてもノイズではない他の微細な信号の差であることもできて、ひどくないノイズの場合、視覚的に大きく問題にならないので、前記ゲイン値を減らすことなく、そのまま置く。すなわち、前記ゲイン制御部２００は、前記ゲイン値を１に設定する。
【０１２７】
前記のように調整されたゲイン値によって前記サブフィールドマッピング部３００においては、サブフィールド数を相異にしてマッピングする(Ｓ７)。
【０１２８】
すなわち、もし、前記ゲイン値が１である場合に１２サブフィールドの組合でマッピングしたなら、前記ゲイン値が０．５である場合には、サブフィールドの数を３〜４個減らしてマッピングする。
【０１２９】
前記ゲイン値によって全体の表現階調数が低くなるので、もっと少ない数のサブフィールドでも前記低くなった階調数を表現し得るからである。
【０１３０】
前記サブフィールドマッピング部３００は、前記のような動作のために少なくとも２以上のサブフィールドマッピングテーブルを有することができる。
【０１３１】
以上、説明した内容を通じて当業者であれば本発明の技術事象を外れない範囲で変更が可能であり、本発明の技術的範囲は、明細書の詳細な説明に記載された内容に限るのではなく、特許請求範囲により定めるはずである。
【図面の簡単な説明】
【０１３２】
【図１】本発明によるプラズマディスプレイパネル構造に対する一実施形態を示した斜視図である。
【図２】プラズマディスプレイパネルの電極配置に対する一実施形態を示した図面である。
【図３】プラズマディスプレイ装置において、ノイズのない画像の一つのフレームが複数のサブフィルーサブフィールドに時分割駆動される方法に対する一実施形態を示した図面である。
【図４】単位フレームにノイズがない場合、プラズマディスプレイパネルを駆動させるための各駆動信号に対する一実施形態を示したタイミング図である。
【図５Ａ】本発明によるプラズマディスプレイ装置の第１実施形態によるサブフィールド構成表が図示された図である。
【図５Ｂ】本発明によるプラズマディスプレイ装置の第１実施形態によるサブフィールド構成表が図示された図である。
【図６Ａ】本発明によるプラズマディスプレイ装置の第２実施形態による色座標と色温度が図示された図である。
【図６Ｂ】本発明によるプラズマディスプレイ装置の第２実施形態による色座標と色温度が図示された図である。
【図７Ａ】本発明によるプラズマディスプレイ装置の第３実施形態によるサステインパルス波形の一実施形態が図示された図である。
【図７Ｂ】本発明によるプラズマディスプレイ装置の第３実施形態によるサステインパルス波形の一実施形態が図示された図である。
【図８】本発明によるプラズマディスプレイ装置の構成の一実施形態が図示されたブロック図である。
【図９】本発明によるプラズマディスプレイ装置の動作方法が図示されたフローチャートである。
【符号の説明】
【０１３３】
Table Ａ１〜Ａ３  １２サブフィールド駆動時の構成表
Tavle Ｂ１〜Ｂ３  ８サブフィールド駆動時の構成表
１００  フレーム比較部
１１０  セルカウンタ部
１２０  ノイズ判別部
２００  ゲイン制御部
３００  サブフィールドマッピング部
ｔ１、ｔ２  サステインパルス上昇時間
Ｔ  サステインパルスの週期
【図１】
2007128082.tif 000003
【図２】
2007128082.tif 000004
【図３】
2007128082.tif 000005
【図４】
2007128082.tif 000006
【図５Ａ】
2007128082.tif 000007
【図５Ｂ】
2007128082.tif 000008
【図６Ａ】
2007128082.tif 000009
【図６Ｂ】
2007128082.tif 000010
【図７Ａ】
2007128082.tif 000011
【図７Ｂ】
2007128082.tif 000012
【図８】
2007128082.tif 000013
【図９】
2007128082.tif 000014